(57)【要約】【課題】衣服に装着した際に下腹部を圧迫することなく、かつ、衣服がずれ落ちにくい、衣服着用補助具を提供すること。【解決手段】衣服着用補助具は、長手方向の長さを調整可能な調整機構を備えた帯状のベルトであって、その両端に設けられた第一の係止手段で当該両端を互いに係止可能な主ベルトと、主ベルト上に一端が固定され、他端にクリップを、一端と他端との間に長さ調節具を備えた少なくとも２つの吊りベルトとを備え、主ベルトを使用者の胸部の下に装着した際に、少なくとも２つの吊りベルトは、主ベルトの長手方向の中心を挟む位置にあって、使用者が履くボトムスをクリップで挟める長さに、長さ調節具によってその長さを調節可能である。【選択図】図１
2019013715.tif 000002
【特許請求の範囲】
【請求項１】
長手方向の長さを調整可能な長さ調整機構を備えた帯状のベルトであって、その両端に設けられた第一の係止手段で当該両端を互いに係止可能な主ベルトと、
前記主ベルト上に一端が固定され、他端にクリップを、前記一端と前記他端との間に長さ調整具を備えた少なくとも２つの吊りベルトと、
を備える衣服着用補助具であって、
前記主ベルトを使用者の胸部よりも下に装着した際に、前記少なくとも２つの吊りベルトは、前記主ベルトの長手方向の中心を挟む位置にあって、前記使用者が履くボトムスを前記クリップで挟める長さに、前記長さ調節具によってその長さを調節可能である、衣服着用補助具。
【請求項２】
前記吊りベルトは、前記一端を輪形状に形成され、当該輪に前記主ベルトが貫通する、
ことを特徴とする請求項１に記載の衣服着用補助具。
【請求項３】
前記第一の係止手段は、ボタン、フック、面ファスナー、ホックの少なくともいずれかによって実現される、
ことを特徴とする請求項１または２に記載の衣服着用補助具。
【請求項４】
前記長さ調整機構は、長手方向に伸縮可能な弾性を有する素材によって実現される、
ことを特徴とする請求項１〜３のいずれか一項に記載の衣服着用補助具。
【請求項５】
前記吊りベルトの一端と、前記主ベルトの複数の位置とに、互いに係止可能な第二の係止手段が設けられ、前記吊りベルトの前記主ベルトに対する係止位置を調節可能である、
ことを特徴とする請求項１に記載の衣服着用補助具。
【請求項６】
前記主ベルトに設けられた前記第一の係止手段及び前記第二の係止手段が、前記主ベルトの表面に設けられた面ファスナーのパイル状の面によって実現され、前記吊りベルトの一端に設けられた前記第二の係止手段が、面ファスナーのフック状の面によって実現される、
ことを特徴とする請求項５に記載の衣服着用補助具。
【発明の詳細な説明】
【技術分野】
【０００１】  本発明は、衣服着用補助具に関し、特に、ズボン、スカート等のボトムスがウエストサイズの増加に伴い着用しづらくなる妊婦等に最適な、衣服着用補助具に関する。
【背景技術】
【０００２】  従来、体形の変化に伴い手持ちの服が窮屈になる妊婦向けに、ズボンやスカートのベルト部分に取り付けてウエストサイズを調整可能な補助具が知られている（例えば、特許文献１）。
【先行技術文献】
【特許文献】
【０００３】
【特許文献１】実用新案登録第３１７３４９７号
【発明の概要】
【発明が解決しようとする課題】
【０００４】  しかしながら、特許文献１の補助具では、ボトムスに装着した際に補助具が下腹部に位置するため、下腹部が圧迫されると共に、下腹部が大きくなるにつれてボトムスがずれ落ちやすいという問題があった。【０００５】  本発明は、上記問題に鑑みてなされたものであり、ボトムスに装着した際に下腹部を圧迫することなく、かつ、ボトムスがずれ落ちにくい、衣服着用補助具を提供することを目的とする。
【課題を解決するための手段】
【０００６】  上述の問題を解決すべく、本発明の一実施形態に係る衣服着用補助具は、長手方向の長さを調整可能な長さ調整機構を備えた帯状のベルトであって、その両端に設けられた第一の係止手段で当該両端を互いに係止可能な主ベルトと、主ベルト上に一端が固定され、他端にクリップを、一端と他端との間に長さ調整具を備えた少なくとも２つの吊りベルトとを備え、主ベルトを使用者の胸部よりも下に装着した際に、少なくとも２つの吊りベルトは、主ベルトの長手方向の中心を挟む位置にあって、使用者が履くボトムスをクリップで挟める長さに、長さ調節具によってその長さを調節可能である。【０００７】  また、本発明の一実施形態に係る衣服着用補助具において、吊りベルトは、一端を輪形状に形成され、当該輪に主ベルトが貫通する。【０００８】  また、本発明の一実施形態に係る衣服着用補助具において、第一の係止手段は、ボタン、フック、面ファスナー、ホックの少なくともいずれかによって実現される。【０００９】  また、本発明の一実施形態に係る衣服着用補助具において、長さ調整機構は、長手方向に伸縮可能な弾性を有する素材によって実現される。【００１０】  また、本発明の一実施形態に係る衣服着用補助具は、吊りベルトの一端と、主ベルトの複数の位置とに、互いに係止可能な第二の係止手段が設けられ、吊りベルトの主ベルトに対する係止位置を調節可能である。【００１１】  また、本発明の一実施形態に係る衣服着用補助具は、主ベルトに設けられた第一の係止手段及び第二の係止手段が、主ベルトの表面に設けられた面ファスナーのパイル状の面によって実現され、吊りベルトの一端に設けられた第二の係止手段が、面ファスナーのフック状の面によって実現される。
【発明の効果】
【００１２】  本発明によれば、ボトムスに装着した際に下腹部を圧迫することなく、かつ、ボトムスがずれ落ちにくい、衣服着用補助具を提供することができる。
【図面の簡単な説明】
【００１３】
【図１】本発明の第１実施例による衣服着用補助具の概略図である。
【図２】本発明の第１実施例による衣服着用補助具を使用者が装着した場合の概略図である。
【図３】（ａ）は、本発明の第２実施例による衣服着用補助具の概略図であり、（ｂ）は、吊りベルトの拡大図である。
【図４】（ａ）は、本発明の第３実施例による衣服着用補助具の概略図であり、（ｂ）は、吊りベルトの拡大図である。
【図５】（ａ）（ｂ）とも、本発明の第３実施例による衣服着用補助具を使用者が装着した場合の説明図である。
【発明を実施するための形態】
【００１４】＜第１実施例＞
以下、諸図面を参照しながら、本発明の実施例を説明する。図１は、本発明の第１実施例による衣服着用補助具の概略図である。図に示すように、衣服着用補助具１００は、長手方向に伸縮可能な弾性を有する帯状の主ベルト１０と、少なくとも２つの吊りベルト１３とを備える。主ベルト１０は、例えば幅２．５ｃｍ〜５．０ｃｍの平ゴム等で実現することができる。また、主ベルト１０の長手方向の長さは、使用者の体形に合わせ複数種類存在してよく、例えば、８０ｃｍ〜１２０ｃｍであってよい。主ベルト１０の両端には面ファスナー１１，１２が備えられ、両端（すなわち、主ベルト１０の一端の表面の面ファスナー１１と、他端の裏面の面ファスナー１２）を重ね合わせて面ファスナー１１，１２を互いに係止させることにより、主ベルト１０を使用者に装着可能である。面ファスナー１１，１２の短手方向の幅は、主ベルト１０の幅以下で、長手方向の長さは、例えば３０ｃｍ〜４０ｃｍとすることができる。第１実施例において、面ファスナーの、主ベルト１０の表面に取り付ける面は、パイル状の面又はフック状の面のうちどちらでもよい。
【００１５】  図１に示すように、吊りベルト１３は、その長手方向が、主ベルト１０の長手方向とほぼ直交するように取り付けられる。すなわち、主ベルト１０を使用者の胸部よりも下に装着した際に、使用者の履くズボン、スカート等のボトムスを、吊りベルト１３で吊る事によって保持可能なように取り付けられる（詳細は後述する）。吊りベルト１３は、幅１．５ｃｍ〜３．０ｃｍの例えば綿テープ、アクリル製テープ、ポリプロピレン製テープ、皮革、合成皮革等によって実現される。吊りベルト１３の一端には、ボトムスを挟んで保持できるクリップとして、例えばサスペンダークリップ１５が取り付けられている。また、吊りベルト１３の中間には、その長さを調節可能な長さ調節具として、例えば移動カン１４が取り付けられている。移動カン１４の位置は、吊りベルト１３を主ベルト１０に固定する一端と、サスペンダークリップ１５との間であれば、どの位置でもよい。吊りベルト１３は、主ベルト１０の長手方向の中心を挟む位置に取り付けられ、例えば、中心から等間隔の位置に取り付けると、衣服着用補助具１００を使用者が使用する際にバランスが良く好適である。その、吊りベルト１３を取り付ける中心からの位置は、使用者の体形に合わせ複数種類存在してよく、例えば、１５ｃｍ〜２５ｃｍとすることができる。
【００１６】  次に、図１に示す衣服着用補助具１００の装着方法について説明する。図２は、本発明の第１実施例による衣服着用補助具１００を使用者１１０が装着した場合の概略図である。図に示すように、使用者１１０は、胸部の下に主ベルト１０が位置するようにし、主ベルト１０の両端の面ファスナー１１，１２を重ね合わせて装着する。そして、使用者１１０は、吊りベルト１３のクリップ１５で、ボトムス１２０のウエスト部、ベルト通し穴又はポケット部を挟む。この際、吊りベルト１３の長さは、使用者が履くボトムスをクリップ１５で挟める長さに、長さ調節具１４によってその長さを調節可能である。なお、クリップ１５で挟む箇所は、使用者１１０の好みの位置でよい。なお、装着の順序についてはこれに限られるものではなく、クリップ１５でボトムス１２０を挟んでから、主ベルト１０を装着しても良い。
【００１７】  このように、本発明の第１実施例による衣服着用補助具１００によれば、ボトムスを支える主ベルト１０が胸部の下に位置するため、下腹部が大きくなる妊婦が装着しても、下腹部を圧迫することがないという利点がある。さらに、吊りベルト１３の長さ調節具１４によって、下腹部の大きさに合わせて吊りベルト１３の長さを長くすることができるため、下腹部が大きくなっても、手持ちの服を長く着用することが可能となる。
【００１８】＜第２実施例＞
次に、本発明の第２実施例について説明する。第２実施例では、吊りベルト１３の一端と、主ベルト１０の複数の位置とに、互いに係合する係止手段として、例えば図１のようにスナップボタン１６が設けられても良い。すなわち、吊りベルト１３の一端にスナップボタンの凸部、主ベルト１０にスナップボタンの凹部が複数設けられても良い。この様にすれば、吊りベルト１３の主ベルト１０に対する位置を調節することができ、体形の変化に伴い吊りベルト１３の位置を調節できるため便利である。なお、係止手段としてはスナップボタンに限られるものではなく、例えば、ホック、ボタンとボタン穴、面ファスナー等で合っても良い。
【００１９】  このように、吊りベルト１３の主ベルト１０に対する位置を調節可能とすることで、体形の変化により柔軟に対応可能な衣服着用補助具を提供することができる。
【００２０】＜第３実施例＞
次に、本発明の第３実施例について説明する。図３（ａ）は、本発明の第３実施例による衣服着用補助具２００の概略図である。図３（ａ）に示すように、第３実施例では、係止手段として、主ベルト２０の表面全てにパイル状の面ファスナー１２が設けられている。そして、主ベルト２０の一端の裏面にフック状の面ファスナー１１が、吊りベルト２３の一端に、同じくフック状の面ファスナー２８が設けられている。ここで、第３実施例による衣服着用補助具２００の吊りベルト２３について、図３（ｂ）を用いて説明する。図３（ｂ）に示すように、吊りベルト２３の一端には、吊りベルト２３の長手方向と直交するように、短手方向の幅を、主ベルト２０に設けられた面ファスナーの短手方向の幅以下とし、例えば長手方向の長さを３ｃｍとした、フック状の面ファスナー２８が設けられている。従って、第３実施例によれば、図３（ａ）に示すように、主ベルト２０の任意の位置に吊りベルト２３を係止させることができるため、より使い易い衣服着用補助具を提供することができる。
【００２１】  なお、図３（ａ）に示すように、吊りベルト２３は２つ以上、例えば４つあっても良い。この場合、ボトムスをより強固に保持できるため、安定感を増す事が出来る。また、第３実施例の場合、主ベルト２０に取り付けるパイル状の面ファスナー１２は、それ自体に伸縮性のあるものを用いるのが好適である。なお、パイル状の面ファスナーとフック状の面ファスナーとを入れ替えても良いが、図３（ａ）に示すように、剥き出しになる面がパイル状である方が、装着時にちくちくせず好適である。
【００２２】  さらに、主ベルト２０の長手方向の中心位置に、中心であることを示す印２９を設けてもよい。これは例えば、図３（ａ）に示すように中心を色付きの糸で縫ったり、ボタン等を付けたりすることで実現することができる。
【００２３】＜第４実施例＞
次に、本発明の第４実施例について説明する。図４（ａ）は、本発明の第４実施例による衣服着用補助具３００の概略図である。図４（ａ）に示すように、第４実施例では、係止手段として、主ベルト３０の両端をつなぎ合わせる留め具４１が設けられている。留め具４１は、主ベルト３０の幅と同じまたはそれ以上の幅を有し、素材としては例えば、革、合成皮革、綿テープ等で形成される。留め具４１の長手方向の長さは、特に決まったものではなく、例えば３〜７ｃｍ程度で実現できる。留め具４１は、ボタン４２によって主ベルト３０の一端から取外し可能であり、使用者は、ボタン４２を外して留め具４１を外し、衣服着用補助具３００を着脱する。
【００２４】  ここで、第４実施例による衣服着用補助具３００の吊りベルト３３について、図４（ｂ）を用いて説明する。図４（ｂ）に示すように、第４実施例における吊りベルト３３は、サスペンダークリップ３５及び移動カン３４に関しては他の実施例と同様であるが、主ベルト３０に取り付けられる側の一端が、輪３９の形状となっている。使用者は、輪３９に主ベルト３０を貫通させて、少なくとも２以上の吊りベルト３３を主ベルト３０に取り付けることができる。吊りベルト３３の素材としては、特にこれに限られるものではないが、主ベルト３０と同様の素材としてもよいし、ゴム状としてもよい。また、第１〜第３実施例と同様の素材でもよい。第４実施例によれば、図４（ａ）に示すように、吊りベルト３３を、主ベルト３０から取り外すことなく、主ベルト３０の任意の位置に移動させることができるため、使用中により使い易い衣服着用補助具を提供することができる。
【００２５】  次に、図４（ａ）に示す衣服着用補助具３００の装着方法について説明する。図５は、本発明の第４実施例による衣服着用補助具３００を使用者３１０が装着した場合の概略図である。図５（ａ）、（ｂ）は、４つの吊りベルト３３を、腹部を開けるような位置にした場合の、それぞれ背面概略図、側面概略図である。図５の場合、下腹部が大きくなった妊婦に特に好適である。第４実施例によれば、図５に示すように、吊りベルト３３を主ベルト３０の任意の位置に位置付けて使用できるため、例えば、使用者３１０の体形が変化して手持ちのボトムスが大きくなってしまった場合にも、ボトムスをずれ落ちさせることなく着用することができる。
【００２６】  本発明の利点を再度述べる。本発明による衣服着用補助具は、下腹部が大きくなる妊婦が装着しても、下腹部を圧迫することがないという利点がある。さらに、吊りベルトの長さ調節具によって、下腹部の大きさに合わせて吊りベルトの長さを長くすることができるため、下腹部が大きくなっても、手持ちの服を長く着用することが可能となる。また、吊りベルトの主ベルトに対する位置を調節可能とすることで、体形の変化により柔軟に対応可能である。その際、吊りベルトを主ベルトから取り外すことなく位置を調整できるため、吊りベルトが落ちることなく、前かがみの態勢を取りにくい妊婦にとって利便性が高い。さらに、主ベルトの任意の位置に吊りベルトを係止させることができるため、より使い易い衣服着用補助具を提供することができる。さらに、使用者の体形が変化して手持ちのボトムスが大きくなってしまった場合にも、ボトムスをずれ落ちさせることなく着用することができる。
【００２７】  本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、上述した数値は一例であって、これに限られるものではない。また、主ベルトに設ける係止手段は、面ファスナーに限られるものではなく、ボタン、フック、スナップボタン等であってもよい。さらに、上記実施例に示す構成を適宜組み合わせることとしてもよい。
【符号の説明】
【００２８】  １００，２００，３００  衣服着用補助具
１０，２０，３０  主ベルト
１１，１２，２８  面ファスナー（第一の係止手段）
１３，２３，３３  吊りベルト
１４，２４，３５  移動カン（調節具）
１５，２５，３５  サスペンダークリップ（第二の係止手段）
１１０  使用者
１２０  ボトムス
１６  スナップボタン
２９  印
４１  留め具（第一の係止手段）
４２  ボタン
３９  輪
３１０  使用者
【図１】
2019013715.tif 000003
【図２】
2019013715.tif 000004
【図３】
2019013715.tif 000005
【図４】
2019013715.tif 000006
【図５】
2019013715.tif 000007